(57)【特許請求の範囲】
【請求項１】
無線通信の方法であって、
新たなリリースのＵＥのために、特定のセルＩＤについて追加の数のスクランブリング・シーケンスが定義される信号をスクランブルまたはデスクランブルするための設定パラメータを受信すること、
前記受信した設定パラメータに少なくとも部分的に基づいて、基地局および少なくとも１つの遠隔ラジオ・ヘッド（ＲＲＨ）を含むネットワークで通信することと、を備える方法。
【請求項２】
前記受信した設定パラメータは、前記基地局のセル識別情報とは異なるセル識別情報、物理アップリンク制御チャネル・オフセット値、またはユーザ機器（ＵＥ）特有パラメータを含む、請求項１に記載の方法。
【請求項３】
前記受信した設定パラメータは、ＵＥ−ＲＳ（基準信号）スクランブリング・シーケンスであり、
前記通信することはさらに、受信した信号を、前記ＵＥ−ＲＳに基づいて復号することを備える、請求項１に記載の方法。
【請求項４】
遠隔ラジオ・ヘッド（ＲＲＨ）は、前記基地局とは異なるセル識別情報を有し、
前記設定パラメータは、前記遠隔ラジオ・ヘッドのセルＩＤである、請求項１に記載の方法。
【請求項５】
前記通信することは、前記ＲＲＨのセルＩＤに少なくとも部分的に基づいて、サウンディング基準信号（ＳＲＳ）、アップリンク復調基準信号、および／または、アップリンク・データ送信をスクランブルすることを備える、請求項４に記載の方法。
【請求項６】
前記通信することは、前記ＲＲＨのセルＩＤに少なくとも部分的に基づいて、ダウンリンク・データ送信、ユーザ機器基準信号（ＵＥ−ＲＳ）、ダウンリンク・チャネル状態情報基準信号（ＣＳＩ−ＲＳ）、および／または、ダウンリンク復調基準信号をデクランブルすることを備える、請求項４に記載の方法。
【請求項７】
前記設定パラメータは、リソース分割情報を備え、
前記通信することはさらに、前記リソース分割情報に少なくとも部分的に基づいて、データ・チャネル、制御チャネル、および／または、サウンディング基準信号（ＳＲＳ）を送信することを備える、請求項１に記載の方法。
【請求項８】
前記設定パラメータは、ラジオ・リソース制御（ＲＲＣ）シグナリングに少なくとも部分的に基づいて受信される、請求項１に記載の方法。
【請求項９】
前記設定パラメータは、少なくとも部分的にダウンリンク許可およびアップリンク許可によって受信される、請求項１に記載の方法。
【請求項１０】
ＵＥは、関連付けられた遠隔ラジオ・ヘッド（ＲＲＨ）に基づいて特定のスクランブリング・シーケンスを使用するように構成された、請求項１に記載の方法。
【請求項１１】
前記受信した設定パラメータは、前記関連付けられた遠隔ラジオ・ヘッドのセルＩＤに対応するスクランブリング・シーケンスを備える、請求項１０に記載の方法。
【請求項１２】
前記通信することはさらに、前記関連付けられた遠隔ラジオ・ヘッドに対応するスクランブリング・シーケンスを用いて通信することを備える、請求項１１に記載の方法。
【請求項１３】
前記信号は、チャネル状態情報基準信号（ＣＳＩ−ＲＳ）、データ復調のためのユーザ機器基準信号（ＵＥ−ＲＳ）、ダウンリンク制御復調のためのＵＥ−ＲＳ、ダウンリンク・データ、ダウンリンク制御、サウンディング基準信号（ＳＲＳ）、アップリンク復調のための復調基準信号（ＤＭ−ＲＳ）、アップリンク制御のためのＤＭ−ＲＳ、アップリンク制御、および／または、アップリンク・データである、請求項１に記載の方法。
【請求項１４】
無線通信のための装置であって、
メモリと、
前記メモリに接続された少なくとも１つのプロセッサとを備え、
前記少なくとも１つのプロセッサは、
新たなリリースのＵＥのために、特定のセルＩＤについて追加の数のスクランブリング・シーケンスが定義される信号をスクランブルまたはデスクランブルするための設定パラメータを受信することと、
前記受信した設定パラメータに少なくとも部分的に基づいて、基地局と１または複数の遠隔ラジオ・ヘッド（ＲＲＨ）を含むネットワークで通信することと、を実行するように構成された、装置。
【請求項１５】
前記受信した設定パラメータは、前記基地局のセル識別情報とは異なるセル識別情報、物理アップリンク制御チャネル・オフセット値、またはユーザ機器（ＵＥ）特有パラメータを含む、請求項１４に記載の装置。
【請求項１６】
前記受信した設定パラメータは、ＵＥ−ＲＳ（基準信号）スクランブリング・シーケンスであり、
前記通信することはさらに、受信した信号を、前記ＵＥ−ＲＳに基づいて復号することを備える、請求項１４に記載の装置。
【請求項１７】
遠隔ラジオ・ヘッド（ＲＲＨ）は、基地局とは異なるセル識別情報を有し、
前記設定パラメータは、前記遠隔ラジオ・ヘッドのセルＩＤである、請求項１４に記載の装置。
【請求項１８】
前記プロセッサはさらに、前記遠隔ラジオ・ヘッド（ＲＲＨ）のセルＩＤに少なくとも部分的に基づいて、サウンディング基準信号（ＳＲＳ）、アップリンク復調基準信号、および／または、アップリンク・データ送信をスクランブルすることによって通信するように構成された、請求項１７に記載の装置。
【請求項１９】
前記プロセッサはさらに、前記ＲＲＨのセルＩＤに少なくとも部分的に基づいて、ダウンリンク・データ送信、ユーザ機器基準信号（ＵＥ−ＲＳ）、ダウンリンク・チャネル状態情報基準信号（ＣＳＩ−ＲＳ）、および／または、ダウンリンク復調基準信号をデクランブルすることによって通信するように構成された、請求項１７に記載の装置。
【請求項２０】
前記設定パラメータは、リソース分割情報を備え、
前記通信することはさらに、前記リソース分割情報に少なくとも部分的に基づいて、データ・チャネル、制御チャネル、および／または、サウンディング基準信号（ＳＲＳ）を送信することを備える、請求項１４に記載の装置。
【請求項２１】
前記設定パラメータは、ラジオ・リソース制御（ＲＲＣ）シグナリングに少なくとも部分的に基づいて受信される、請求項１４に記載の装置。
【請求項２２】
前記設定パラメータは、少なくとも部分的にダウンリンク許可およびアップリンク許可によって受信される、請求項１４に記載の装置。
【請求項２３】
ＵＥは、関連付けられた遠隔ラジオ・ヘッド（ＲＲＨ）に基づいて特定のスクランブリング・シーケンスを使用するように構成された、請求項１４に記載の装置。
【請求項２４】
前記受信した設定パラメータは、前記関連付けられた遠隔ラジオ・ヘッドのセルＩＤに対応するスクランブリング・シーケンスを備える、請求項２３に記載の装置。
【請求項２５】
前記プロセッサはさらに、前記関連付けられた遠隔ラジオ・ヘッドに対応するスクランブリング・シーケンスを用いて通信するように構成された、請求項２４に記載の装置。
【請求項２６】
前記信号は、チャネル状態情報基準信号（ＣＳＩ−ＲＳ）、データ復調のためのユーザ機器基準信号（ＵＥ−ＲＳ）、ダウンリンク制御復調のためのＵＥ−ＲＳ、ダウンリンク・データ、ダウンリンク制御、サウンディング基準信号（ＳＲＳ）、アップリンク復調のための復調基準信号（ＤＭ−ＲＳ）、アップリンク制御のためのＤＭ−ＲＳ、アップリンク制御、および／または、アップリンク・データである、請求項１４に記載の装置。
【請求項２７】
無線ネットワークにおける無線通信のためのプログラム・コードを格納する非一時的なコンピュータ読取可能な記憶媒体であって、
前記プログラム・コードは、
新たなリリースのＵＥのために、特定のセルＩＤについて追加の数のスクランブリング・シーケンスが定義される信号をスクランブルまたはデスクランブルするための設定パラメータを受信するためのプログラム・コードと、
前記受信した設定パラメータに少なくとも部分的に基づいて、基地局と１または複数の遠隔ラジオ・ヘッド（ＲＲＨ）を含むネットワークで通信するためのプログラム・コードとを備える、コンピュータ読取可能な記憶媒体。
【請求項２８】
無線通信のための装置であって、
新たなリリースのＵＥのために、特定のセルＩＤについて追加の数のスクランブリング・シーケンスが定義される信号をスクランブルまたはデスクランブルするための設定パラメータを受信する手段と、
前記受信した設定パラメータに少なくとも部分的に基づいて、基地局および少なくとも１つの遠隔ラジオ・ヘッド（ＲＲＨ）を含むネットワークで通信する手段と、を備える装置。
【発明の詳細な説明】
【関連出願に対する相互参照】
【０００１】
本願は、その開示の全体が参照によって明確に組み込まれている２０１１年５月６日出願の「遠隔ラジオ・ヘッドを設定するためのシステムおよび方法」（SYSTEMS AND METHODS FOR CONFIGURING REMOTE RADIO HEADS）と題された米国仮出願６１／４８３，３５６号への３５Ｕ．Ｓ．Ｃ．§１１９（ｅ）の下の利益を要求する。
【技術分野】
【０００２】
本開示の態様は、一般に、無線通信システムに関し、さらに詳しくは、無線ネットワークにおいて遠隔ラジオ・ヘッドを設定することに関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００５】
１つの態様では、無線通信の方法が開示される。この方法は、より新たなリリースのＵＥのために、特定のセルＩＤについてより多くのスクランブリング・シーケンスが定義される信号をスクランブルまたはデスクランブルするための設定パラメータを受信すること、を含む。ＵＥは、受信した設定パラメータに少なくとも部分的に基づいて、基地局および遠隔ラジオ・ヘッド（単数または複数）を含むネットワークで通信する。
【０００６】
別の態様は、メモリと、メモリに接続された少なくとも１つのプロセッサとを有する無線通信を開示する。プロセッサ（単数または複数）は、より新たなリリースのＵＥのために、特定のセルＩＤについてより多くのスクランブリング・シーケンスが定義される信号をスクランブルまたはデスクランブルするための設定パラメータを受信する、ように構成される。プロセッサ（単数または複数）はまた、受信した設定パラメータに少なくとも部分的に基づいて、基地局および遠隔ラジオ・ヘッド（単数または複数）を有するネットワークで通信するように構成される。
【０００７】
別の態様では、非一時的なコンピュータ読取可能な媒体を有する無線ネットワークにおける無線通信のためのコンピュータ・プログラム製品が開示される。このコンピュータ読取可能な媒体は、プロセッサ（単数または複数）によって実行された場合、プロセッサ（単数または複数）に対して、より新たなリリースのＵＥのために、特定のセルＩＤについてより多くのスクランブリング・シーケンスが定義される信号をスクランブルまたはデスクランブルするための設定パラメータを受信する動作を実行させる、記録された非一時的なプログラム・コードを有する。このプログラム・コードはまた、プロセッサ（単数または複数）に対して、基地局および遠隔ラジオ・ヘッド（単数または複数）を有するネットワークで通信させる。プロセッサ（単数または複数）は、受信した設定パラメータに少なくとも部分的に基づいて通信する。
【０００８】
別の態様は、より新たなリリースのＵＥのために、特定のセルＩＤについてより多くのスクランブリング・シーケンスが定義される信号をスクランブルまたはデスクランブルするための設定パラメータを受信する手段、を含む装置を開示する。さらに、受信した設定パラメータに少なくとも部分的に基づいて、基地局および遠隔ラジオ・ヘッド（単数または複数）を有するネットワークにおいて通信する手段も含まれる。
【０００９】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１０】
本開示の特徴、特性、および利点は、同一の参照符号が全体を通じて同一物を特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の態様にしたがうヘテロジニアスなネットワークにおける適応リソース区分を概念的に例示するブロック図である。
【図６】図６は、無線システムにおける範囲拡張を例示するブロック図である。
【図７】図７は、遠隔ラジオ・ヘッドを設定するための方法を例示するブロック図である。
【図８】図８は、典型的な装置における異なるモジュール／手段／構成要素間のデータ・フローを例示する概念的なデータ・フロー図である。
【発明を実施するための形態】
【００１１】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１３】
図１は、遠隔ラジオ・ヘッド（ＲＲＨ）を含むＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１４】
ｅノードＢは、マクロ・セル、ピコ・セル、フェムト・セル、遠隔ラジオ・ヘッド（ＲＲＨ）、および／または、その他のタイプのセルに通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。ピコは、バックホールを介してマクロに接続されうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。ＲＲＨは、例えば光ファイバのように、マクロ・セルとＲＲＨとの間の高速な通信および調整をイネーブルするのみならず、これら送信の確実な設定を可能にする高速接続でマクロ・セルに接続されている。マクロ・セルのためのｅノードＢは、マクロｅノードＢと称されうる。ピコ・セルのためのｅノードＢは、ピコｅノードＢと称されうる。同様に、フェムト・セルのためのｅノードＢは、フェムトｅノードＢまたはホームｅノードＢと称されうる。また、ＲＲＨのためのｅノードＢは、遠隔ラジオ・ヘッドｅノードＢ、または単にＲＲＨと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。ｅノードＢ１１０ｙ，１１０ｚはそれぞれセル１０２ｙ，１０２ｚのためのＲＲＨ  ｅノードＢである。ｅノードＢは、１または複数（例えば２，３，４個等）のセルをサポートしうる。
【００１５】
無線ネットワーク１００はさらに、中継局をも含みうる。
【００１６】
中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１７】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００１８】
無線ネットワーク１００は、遠隔ラジオ・ヘッドおよびマクロ・セルの同期動作をサポートしうる。同期動作のために、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００１９】
１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードのために使用されうる。
【００２０】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２１】
無線ネットワーク１００の全体にわたって、ＵＥ１２０（例えば、ＵＥ１２０ｘ、ＵＥ１２０ｙ等）が分布しうる。そして、おのおののＵＥは、固定式または移動式でありうる。ＵＥは、端末、ユーザ機器、移動局、加入者ユニット、局等とも称されうる。ＵＥは、セルラ電話（例えば、スマート・フォン）、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット、ネットブック、スマート・ブック等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２２】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。
【００２３】
図２は、ＬＴＥにおいて使用されるダウンリンクＦＤＤフレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２４】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２５】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２６】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２７】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２内に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００２８】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００２９】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３０】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３１】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００３２】
ＬＴＥ／−Ａで使用されているＰＳＣ（一次同期キャリア）、ＳＳＣ（２次同期キャリア）、ＣＲＳ（共通基準信号）、ＰＢＣＨ、ＰＵＣＣＨ、ＰＵＳＣＨ、および、その他のこのような信号およびチャネルは、公的に利用可能である「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３３】
図４は、図１における基地局／ｅノードＢのうちの１つ、およびＵＥのうちの１つでありうる、基地局／ｅノードＢ１１０とＵＥ１２０との設計のブロック図を示す。例えば、基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３４】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３５】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３６】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３７】
コントローラ／プロセッサ４４０，４８０は、基地局１１０およびＵＥ１２０それぞれにおける動作を指示しうる。基地局１１０／ＵＥ１２０におけるプロセッサ４４０／４８０および／またはその他のプロセッサおよびモジュールは、図７に例示された機能ブロックの実施、および／または、本明細書に記載された技術のためのその他の処理を実行または指示しうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３８】
図６に図示されているように、範囲拡張をサポートするネットワーク６００は、マクロ基地局６１０ａおよび遠隔ラジオ・ヘッド（ＲＲＨ）６１０ｂを含みうる。領域６０２では、ＵＥ６２０ａによって受信された遠隔ラジオ・ヘッド６１０ｂからの信号は、マクロ基地局６１０ａからの信号よりも強い。領域６０２は、遠隔ラジオ・ヘッド・セルと称される。領域６０３は、遠隔ラジオ・ヘッド６１０ｂの範囲拡張領域である。範囲拡張領域６０３では、ＵＥ６２０ｂの受信信号は、遠隔ラジオ・ヘッド６１０ｂからのものよりも、マクロ基地局６１０ａからの方が強い。範囲拡張領域６０３の外側の領域は、マクロ・セル領域である。一例において、範囲拡張は、低電力の遠隔ラジオ・ヘッドへの高速かつ確実なバックホール接続（例えば、光ファイバ接続）を有するマクロ・セルを含むネットワーク構成における低電力遠隔ラジオ・ヘッドのために実行される。このネットワーク６００はまた、マクロ・セルと同じセルＩＤを共有するものを含む高電力遠隔ラジオ・ヘッドをも含みうる。
【００３９】
本開示の態様は、遠隔ラジオ・ヘッドのためのさまざまな構成に向けられており、遠隔ラジオ・ヘッドが、マクロ・セルと同じセル識別情報を共有する構成のみならず、遠隔ラジオ・ヘッドが、マクロ・セルとは異なるセルＩＤを使用する構成を含む。例えば、いくつかのシナリオでは、遠隔ラジオ・ヘッドは、マクロ・セルと同じセル識別情報（ＩＤ）を共有し、マクロ・セルと同じ共通基準信号（ＣＲＳ）を送信する。ＣＲＳを使用する例えばＰＤＣＣＨのようなダウンリンク制御チャネルは、ＣＲＳを送信するすべての遠隔ラジオ・ヘッドおよびマクロ・セルによって送信される。この構成では、ＵＥは、単一のセルを見る。さらに、代替構成では、遠隔ラジオ・ヘッドは、マクロ・セルのものとは異なるセルＩＤを使用する。さらに詳しくは、遠隔ラジオ・ヘッドは、衝突する共通基準信号（ＣＲＳ）を有しうる。または、そのうちのいくつかが衝突しない基準信号を生成しうる、別のセルＩＤを使用しうる。遠隔ラジオ・ヘッド領域６０２におけるＵＥは、遠隔ラジオ・ヘッド６１０ｂをより強いセルとして見る。そして、マクロ・セル６１０ａを干渉元として見る。範囲拡張領域６０３におけるＵＥは、遠隔ラジオ・ヘッド６１０ｂを検出さえしないことがありうる。なぜなら、遠隔ラジオ・ヘッドの受信信号は、マクロ・セル６１０ａからの信号よりも弱いからである。範囲拡張は、いくつかのアプローチでイネーブルされうる。例えば、範囲拡張ＵＥは、マクロｅノードＢからダウンリンク制御（例えばＰＤＣＣＨ、ＰＨＩＣＨ等）を受信し、遠隔ラジオ・ヘッドおよび／またはマクロ・セルからデータを受信する。
【００４０】
いくつかの態様では、マクロ・セルおよび遠隔ラジオ・ヘッドはＵＥに対して合同でサービス提供する。例えば、ＵＥはマクロ・セルから制御を、遠隔ラジオ・ヘッドからデータを受信しうる等である。１つの態様では、サービス提供セルは、ＣＲＳが時間トラッキング・ループ、周波数トラッキング・ループ、および／または、ＣＲＳベースのチャネル（例えば、ＰＤＣＣＨ、ＰＨＩＣＨ、ＰＣＦＩＣＨ等）の復号のためにモニタされるセルＩＤとして定義される。
【００４１】
マクロ・セルが、複数の遠隔ラジオ・ヘッドがＵＥに同時に送信しうるいくつかのダウンリンク・リソースをクリアした場合、ダウンリンク・データにおけるフル・セル・スプリット・ゲインが取得されうる。データ、制御およびサウンディング基準信号（ＳＲＳ）の送信を含むアップリンク送信が、セル・スプリット・ゲインを取得するために設定されうる。例えば、セル・スプリット・ゲインは、遠隔ラジオ・ヘッドＵＥ、および恐らくはマクロＵＥでさえも、同じ時間−周波数リソースで送信するアップリンク送信において可能である。
【００４２】
いくつかのシナリオでは、複数の局が、同じシーケンスを用いてパイロット信号を送信し、もって、単一周波数ネットワーク（ＳＦＮ）効果を引き起こす。この間、データは独立して送信される。パイロットとデータとは実際には異なるチャネルを見ているので、これは、チャネル推定と干渉推定におけるミスマッチをもたらしうる。他の態様では、複数の局は、非直交パイロットを送信するので、他の送信に対する干渉を引き起こす。本開示のいくつかの態様では、リソース分割（ＦＤＭ／ＴＤＭ等）を用いて、セルが、他の局に対応するスクランブリング・シーケンスを用いて送信できるようにすることによって、および、新たなスクランブリング・シーケンスを定義して、異なる局にわたって分割すること等によって、干渉が低減されうる。
【００４３】
一般に、例えばスクランブリング・シーケンス、直交カバー符号、および、サイクリック・シフトのようなアップリンク送信パラメータは、ダウンリンクのためのサービス提供セルのセルＩＤから、および、その他のＵＥ特有／セル特有のパラメータから導出される。遠隔ラジオ・ヘッドおよびマクロｅノードＢが同じセルＩＤを共有する場合、マクロｅノードＢおよび遠隔ラジオ・ヘッドによってカバーされた領域全体にわたって同様のスクランブリング・シーケンスが使用されうる。例えば、同時に送信しているすべての遠隔ラジオ・ヘッド範囲拡張ＵＥの場合、２つのＵＥから同じパイロットが送信され、その結果、遠隔ラジオ・ヘッドにおけるパイロットのＳＦＮ効果となる。これらパイロットから推定されたチャネルは、２つのＵＥからのチャネルの総和であるので、これは、復調パフォーマンスにインパクトを与えうる。一方、データは、１つのＵＥからのチャネルしか見ていない。さらに、パイロットから推定された干渉は、第２のＵＥによって引き起こされた干渉を単独では含んでいないが、１つのＵＥからのデータ送信に対応する受信信号は、第２のＵＥからの干渉を含みうる。これらの問題はまた、ＡＣＫ（アクノレッジ）およびチャネル品質インジケータ（ＣＱＩ）のような制御チャネル・メッセージにも影響を与えうる。なぜなら、これらのペイロードは小さく、データ部分においてでさえもＳＦＮ効果をもたらす可能性があるからである。
【００４４】
本開示の１つの態様は、同時に送信しているＵＥが、アップリンクにおいて同じパイロットを持たないことを保証するように指示される。ここで、パイロット信号は、復調のためのものである。１つの態様では、遠隔ラジオ・ヘッドは、マクロ・セルと同じセルＩＤを有する。ＵＥを設定するためにさまざまな設定が実施されうるので、ＵＥは同じパイロットを有さない。特に、各ＵＥの特定のパラメータが設定されうる。さらに、ダウンリンク許可から派生したパラメータ、アップリンクにおいて割り当てられた帯域幅、および、ダウンリンクにおいて割り当てられたリソース・ブロックも設定されうる。アップリンク送信を制御するこれらパラメータは、衝突を回避するため、または、アップリンクにおいて一方が他方に顕著な干渉を引き起こしうるＵＥのペアためのこのような衝突を少なくとも回避するために、セル全体（例えば、マクロｅノードＢおよびＲＲＨ）にわたって計画されうる。
【００４５】
別の態様では、遠隔ラジオ・ヘッドがマクロ・セルと同じセルＩＤを有する場合、ＵＥは、例えば仮想ＲＲＨセルＩＤのような別のセルＩＤを使用するように指示されうる。オプションとして、ＵＥは、（例えば、ＰＵＣＣＨオフセット等のように）アップリンク／ダウンリンク許可から導出されたパラメータのような、その他のセル特有パラメータを使用するように指示されうる。さらに、ＵＥは、例えばアップリンク／ダウンリンク許可から導出されたような、その他のＵＥ特有パラメータを使用するように指示されうる。これらパラメータのうちのいくつかは、半固定的である一方、その他のパラメータは、動的でありうり、ダウンリンク／アップリンク許可に含まれうる。
【００４６】
別の態様では、遠隔ラジオ・ヘッドがマクロ・セルと同じセルＩＤを有する場合、例えばリレー物理ダウンリンク制御チャネル（Ｒ−ＰＤＣＣＨ）のような新たなダウンリンク制御チャネルが、別の遠隔ラジオ・ヘッドによって同時に使用されうる。Ｒ−ＰＤＣＣＨは、ＣＲＳベースのシーケンスを用いて復号されるのとは反対に、自身のプリコード・パイロット（すなわち、ＵＥ−ＲＳ）を用いて復号される。ＵＥは、制御チャネルを探索する場合のために、どのセルＩＤおよび／またはスクランブリング・シーケンスを探索するのかに関してシグナルされうる。共有されたセルＩＤに関して前述された態様は、ＲＲＨセルＩＤがマクロ・セルのセルＩＤと異なる場合に適用されうる。
【００４７】
別の態様では、遠隔ラジオ・ヘッドは、マクロ・セルとは異なるセルＩＤを使用する。範囲拡張ＵＥは、マクロ・セルから制御情報を取得し、アップリンク送信のためにマクロ・セル・パラメータを使用しうる。アップリンク通信における範囲拡張ゲインを得るために、遠隔ラジオ・ヘッドは、範囲拡張領域におけるＵＥのアップリンク送信を受信する。遠隔ラジオ・ヘッドは、遠隔ラジオ・ヘッドに対応するアップリンク・パラメータを用いて送信する非範囲拡張ＵＥに対応するアップリンク送信を取り扱う一方、範囲拡張ＵＥは、マクロ・セルのパラメータに対応して送信する。これによって、遠隔ラジオ・ヘッドは、同じリソースを用いる別のＵＥからの非直交送信を復号するようになりうる。
【００４８】
１つの態様では、マクロ・セルと異なるセルＩＤを有する遠隔ラジオ・ヘッドのために、ＵＥは、どのセルＩＤをアップリンク送信のために使用するかを指示される。例えば、遠隔ラジオ・ヘッド範囲拡張ＵＥは、ダウンリンク制御を受信している間、マクロ・セルＩＤを使用するように指示されるが、アップリンク送信のためには、関連付けられた遠隔ラジオ・ヘッドのセルＩＤを使用するように指示されうる。
【００４９】
オプションとして、別の態様では、マクロ・セルとは異なるセルＩＤを有する遠隔ラジオ・ヘッドのために、範囲拡張ＵＥのアップリンク制御情報がマクロ・セルによって受信および復号される一方、通常の遠隔ラジオ・ヘッドＵＥアップリンク制御情報が遠隔ラジオ・ヘッドによって受信および復号される。
【００５０】
また別の態様では、遠隔ラジオ・ヘッドが、マクロ・セルとは異なるセルＩＤを有している場合、アップリンク制御情報が遠隔ラジオ・ヘッドによって受信および復号され、範囲拡張ＵＥおよび通常の遠隔ラジオ・ヘッドＵＥ制御／データ・チャネルがＦＤＭ／ＴＤＭによって分割される。言い換えれば、スクランブリング符号とは異なるリソースで直交性が達成される。
【００５１】
ダウンリンクにおいて遠隔ラジオ・ヘッドによってサービス提供され、マクロ・セルから制御を受信するＵＥが、使用されるべきマクロ・セルのスクランブリング・シーケンスを期待しうる別の態様では、ダウンリンク送信が考慮されうる。たとえ異なるセルＩＤを有していてもＵＥに対する透過性を保つために、遠隔ラジオ・ヘッドは、マクロ・セルのスクランブリング・シーケンスを用いて送信しうる。しかしながら、所与のセルのために定義されたダウンリンクＵＥ−基準信号（ＵＥ−ＲＳ）スクランブリング・シーケンスは制限された数しかないので、複数の遠隔ラジオ・ヘッドが、範囲拡張ＵＥにサービス提供するために同じリソースを用いる場合、ＵＥ−ＲＳベースの送信に関するパイロット衝突が生じうる。パイロット衝突はまた、マクロ・セルと同じセルＩＤを共有する別の遠隔ラジオ・ヘッドから同時にサービス提供されているＵＥについても生じうる。
【００５２】
１つの態様では、同時にサービス提供されている別の遠隔ラジオ・ヘッドのＵＥを設定するために、所与のＩＤについて追加のスクランブリング・シーケンスが定義されうる。例えば、各遠隔ラジオ・ヘッドに、異なるセットのスクランブリング・シーケンスが割り当てられる。別の態様では、遠隔ラジオ・ヘッドは、共通したいくつかのスクランブリング・シーケンスを有しうる。しかし、遠隔ラジオ・ヘッドＵＥが、別の遠隔ラジオ・ヘッドから著しい干渉を見ることが予測される状況では、スケジューラが、近隣の遠隔ラジオ・ヘッド送信のために別のスクランブリング・シーケンスを割り当てることを試みる。
【００５３】
別の態様では、ＵＥは、ＵＥが制御チャネル復号のために使用するセルＩＤとは別のセルＩＤを用いてＵＥ−ＲＳを復号するように構成される。例えば、ＵＥは、マクロ・セルＩＤに基づいてマクロ・セルから制御情報を受信するが、範囲拡張モードにある場合には、ＵＥ−ＲＳデスクランブリングのために遠隔ラジオ・ヘッド・セルＩＤを使用しうる。
【００５４】
別の態様は、マクロ・セルと異なるセルＩＤを有する遠隔ラジオ・ヘッドを考慮する。ここでは、遠隔ラジオ・ヘッドは、チャネル状態情報−基準信号（ＣＳＩ−ＲＳ）を用いる。ＵＥは、マクロ・セルのＣＳＩ−ＲＳ位置の代わりに、例えば遠隔ラジオ・ヘッドのＣＳＩ−ＲＳ位置のようなＵＥ特有の情報を通知されうる。デフォルトによって、ＵＥは、デスクランブリングのために、マクロ・セルＩＤに対応するスクランブリング・シーケンスを使用するが、遠隔ラジオ・ヘッドは、自身のセルＩＤから導出されるスクランブリングを用いてＣＳＩ−ＲＳを送信する。
【００５５】
１つの態様では、遠隔ラジオ・ヘッドは、マクロ・セルのスクランブリング・シーケンスを用いてＣＳＩ−ＲＳを送信するように構成される。さらに、遠隔ラジオ・ヘッドは、自身のセルＩＤを用いてＣＳＩ−ＲＳを送信するようにも構成されうる。別の態様では、ＵＥは、ＣＳＩ−ＲＳデスクランブリングのためにどのセルＩＤを使用するかを指示される。セルＩＤは、制御（例えば、ＰＤＣＣＨ／ＰＨＩＣＨ）復号のためにＵＥが使用するセルＩＤとは異なりうる。
【００５６】
別の態様は、マクロ・セルに対して異なるセルＩＤを有する遠隔ラジオ・ヘッドを考慮する。遠隔ラジオ・ヘッドＵＥによるＳＲＳ（サウンディング基準信号）送信のために使用されるシーケンスは、マクロＵＥ  ＳＲＳ信号、または、改善された構成を有さないその他に対して直交することはないだろう。近隣の遠隔ラジオ・ヘッドは、互いの間での、または、各遠隔ラジオ・ヘッドとマクロ・セルとの間での、高い相互ＳＲＲ干渉を受けるだろう。
【００５７】
１つの態様では、遠隔ラジオ・ヘッド間で、および、各遠隔ラジオ・ヘッドとマクロ・セルとの間で、完全なＴＤＭ／ＦＤＭ  ＳＲＳリソース分割が使用される。遠く離れた遠隔ラジオ・ヘッドが同じリソースを使用することを許可するための、あるリソース再使用パターン許可が存在しうる。
【００５８】
あるいは、別の態様では、範囲拡張ＵＥは、アップリンクＳＲＳ送信のために、別のセルＩＤ（例えば、マクロの代わりにＲＲＨ）、およびその他のセル特有パラメータ（例えば、マクロの代わりにＲＲＨ）を使用するように指示される。
【００５９】
さらなる態様では、範囲拡張ＵＥとＲＲＨ  ＵＥとの両方が、マクロ・セルのセルＩＤを使用するように指示されうる。この場合、ＲＲＨセルＩＤは、他の目的のために利用可能である。さらに、別の態様では、前述した技術はまた、協調マルチポイント（ＣｏＭＰ）スキームを含むネットワークにも適合する。
【００６０】
図７は、遠隔ラジオ・ヘッドを有するネットワークにおいてＵＥを設定するための方法７０１を例示する。新たなリリースのＵＥのために、特定のセルＩＤについてより多くのスクランブリング・シーケンスが定義される信号をスクランブルまたはデスクランブルするための設定パラメータが受信される。ブロック７１２では、ＵＥは、受信された設定パラメータに少なくとも部分的に基づいて、ネットワークにおいて通信する。
【００６１】
１つの構成では、受信する手段を含むＵＥ１２０が、無線通信のために構成される。１つの態様では、受信する手段は、受信する手段によって記述された機能を実行するように構成されたアンテナ４５２ａ−４５２ｒ、復調器４５４ａ−４５４ｒ、受信プロセッサ４５８、および／または、コントローラ／プロセッサ４８０およびメモリ４８２でありうる。ＵＥ１２０はまた、通信する手段を含むようにも構成される。１つの態様では、通信する手段は、通信する手段によって記述された機能を実行するように構成されたアンテナ４５２ａ−４５２ｒ、受信プロセッサ４５８、変調器／復調器４５４ａ−４５４ｒ、送信プロセッサ４６４、メモリ４８２、および／または、コントローラ／プロセッサ４８０でありうる。別の態様では、前述された手段は、前述された手段によって記載された機能を実行するように構成された任意のモジュールまたは任意の装置でありうる。
【００６２】
図８は、処理システム８１４を適用する装置８００のハードウェア実装の例を例示する図解である。処理システム８１４は、一般にバス８２４によって表されているバス・アーキテクチャを用いて実現されうる。バス８２４は、全体的な設計制約および処理システム８１４の特定のアプリケーションに依存して、任意の数の相互接続バスおよびブリッジを含みうる。バス８２４は、プロセッサ８０４、モジュール８３２，８２４、およびコンピュータ読取可能な媒体８０６によって表される１または複数のプロセッサおよび／またはハードウェア・モジュールを含むさまざまな回路をともにリンクしている。バス８２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【００６３】
この装置は、トランシーバ８１０に接続された処理システム８１４を含む。トランシーバ８１０は、１または複数のアンテナ８２０に接続されうる。トランシーバ８１０は、送信媒体を介したその他さまざまな装置との通信を可能にする。処理システム８１４は、コンピュータ読取可能な媒体８０６に接続されたプロセッサ８０４を含む。プロセッサ８０４は、コンピュータ読取可能な媒体８０６に格納されたソフトウェアの実行を含む一般的な処理を担当する。ソフトウェアは、プロセッサ８０４によって実行された場合、処理システム８１４に対して、任意の特定の装置のために記述されたさまざまな機能を実行させる。コンピュータ読取可能な媒体８０６はまた、ソフトウェアが実行されている場合に、プロセッサ８０４によって操作されるデータを格納するためにも使用されうる。
【００６４】
処理システムは、受信モジュール８３２および通信モジュール８３４を含んでいる。受信モジュール８３２は、より新たなリリースのＵＥのために、特定のセルＩＤについてより多くのスクランブリング・シーケンスが定義される信号をスクランブルまたはデスクランブルするための設定パラメータを受信する。通信モジュール８３４は、受信した設定パラメータに基づいて、基地局および／または遠隔ラジオ・ヘッドと通信しうる。これらモジュールは、プロセッサ８０４で動作するソフトウェア・モジュールでありうるか、コンピュータ読取可能な媒体８０６に常駐／格納されうるか、プロセッサ８０４に接続された１または複数のハードウェア・モジュールでありうるか、これらのある組み合わせでありうる。処理システム８１４は、ＵＥ１２０の構成要素でありうる。そして、メモリ４８２、送信プロセッサ４６４、受信プロセッサ４５８、変調器／復調器４５４ａ−ｒ、アンテナ４５２ａ−ｒ、および／または、コントローラ／プロセッサ４８０を含みうる。
【００６５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６７】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６９】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
無線通信の方法であって、
より新たなリリースのＵＥのために、特定のセルＩＤについてより多くのスクランブリング・シーケンスが定義される信号をスクランブルまたはデスクランブルするための設定パラメータを受信すること、
前記受信した設定パラメータに少なくとも部分的に基づいて、基地局および少なくとも１つの遠隔ラジオ・ヘッド（ＲＲＨ）を含むネットワークで通信することと、を備える方法。
［Ｃ２］
前記受信した設定パラメータは、前記基地局のセル識別情報とは異なるセル識別情報、物理アップリンク制御チャネル・オフセット値、またはユーザ機器（ＵＥ）特有パラメータを含む、Ｃ１に記載の方法。
［Ｃ３］
前記受信した設定パラメータは、ＵＥ−ＲＳ（基準信号）スクランブリング・シーケンスであり、
前記通信することはさらに、受信した信号を、前記ＵＥ−ＲＳに基づいて復号することを備える、Ｃ１に記載の方法。
［Ｃ４］
遠隔ラジオ・ヘッド（ＲＲＨ）は、前記基地局とは異なるセル識別情報を有し、
前記設定パラメータは、前記遠隔ラジオ・ヘッドのセルＩＤである、Ｃ１に記載の方法。
［Ｃ５］
前記通信することは、前記ＲＲＨのセルＩＤに少なくとも部分的に基づいて、サウンディング基準信号（ＳＲＳ）、アップリンク復調基準信号、および／または、アップリンク・データ送信をスクランブルすることを備える、Ｃ４に記載の方法。
［Ｃ６］
前記通信することは、前記ＲＲＨのセルＩＤに少なくとも部分的に基づいて、ダウンリンク・データ送信、ユーザ機器基準信号（ＵＥ−ＲＳ）、ダウンリンク・チャネル状態情報基準信号（ＣＳＩ−ＲＳ）、および／または、ダウンリンク復調基準信号をデクランブルすることを備える、Ｃ４に記載の方法。
［Ｃ７］
前記設定パラメータは、リソース分割情報を備え、
前記通信することはさらに、前記リソース分割情報に少なくとも部分的に基づいて、データ・チャネル、制御チャネル、および／または、サウンディング基準信号（ＳＲＳ）を送信することを備える、Ｃ１に記載の方法。
［Ｃ８］
前記設定パラメータは、ラジオ・リソース制御（ＲＲＣ）シグナリングに少なくとも部分的に基づいて受信される、Ｃ１に記載の方法。
［Ｃ９］
前記設定パラメータは、少なくとも部分的にダウンリンク許可およびアップリンク許可によって受信される、Ｃ１に記載の方法。
［Ｃ１０］
ＵＥは、関連付けられた遠隔ラジオ・ヘッド（ＲＲＨ）に基づいて特定のスクランブリング・シーケンスを使用するように構成された、Ｃ１に記載の方法。
［Ｃ１１］
前記受信した設定パラメータは、前記関連付けられた遠隔ラジオ・ヘッドのセルＩＤに対応するスクランブリング・シーケンスを備える、Ｃ１０に記載の方法。
［Ｃ１２］
前記通信することはさらに、前記関連付けられた遠隔ラジオ・ヘッドに対応するスクランブリング・シーケンスを用いて通信することを備える、Ｃ１１に記載の方法。
［Ｃ１３］
前記信号は、チャネル状態情報基準信号（ＣＳＩ−ＲＳ）、データ復調のためのユーザ機器基準信号（ＵＥ−ＲＳ）、ダウンリンク制御復調のためのＵＥ−ＲＳ、ダウンリンク・データ、ダウンリンク制御、サウンディング基準信号（ＳＲＳ）、アップリンク復調のための復調基準信号（ＤＭ−ＲＳ）、アップリンク制御のためのＤＭ−ＲＳ、アップリンク制御、および／または、アップリンク・データである、Ｃ１に記載の方法。
［Ｃ１４］
無線通信のための装置であって、
メモリと、
前記メモリに接続された少なくとも１つのプロセッサとを備え、
前記少なくとも１つのプロセッサは、
より新たなリリースのＵＥのために、特定のセルＩＤについてより多くのスクランブリング・シーケンスが定義される信号をスクランブルまたはデスクランブルするための設定パラメータを受信することと、
前記受信した設定パラメータに少なくとも部分的に基づいて、基地局と１または複数の遠隔ラジオ・ヘッド（ＲＲＨ）を含むネットワークで通信することと、を実行するように構成された、装置。
［Ｃ１５］
前記受信した設定パラメータは、前記基地局のセル識別情報とは異なるセル識別情報、物理アップリンク制御チャネル・オフセット値、またはユーザ機器（ＵＥ）特有パラメータを含む、Ｃ１４に記載の装置。
［Ｃ１６］
前記受信した設定パラメータは、ＵＥ−ＲＳ（基準信号）スクランブリング・シーケンスであり、
前記通信することはさらに、受信した信号を、前記ＵＥ−ＲＳに基づいて復号することを備える、Ｃ１４に記載の装置。
［Ｃ１７］
遠隔ラジオ・ヘッド（ＲＲＨ）は、基地局とは異なるセル識別情報を有し、
前記設定パラメータは、前記遠隔ラジオ・ヘッドのセルＩＤである、Ｃ１４に記載の装置。
［Ｃ１８］
前記プロセッサはさらに、前記遠隔ラジオ・ヘッド（ＲＲＨ）のセルＩＤに少なくとも部分的に基づいて、サウンディング基準信号（ＳＲＳ）、アップリンク復調基準信号、および／または、アップリンク・データ送信をスクランブルすることによって通信するように構成された、Ｃ１７に記載の装置。
［Ｃ１９］
前記プロセッサはさらに、前記ＲＲＨのセルＩＤに少なくとも部分的に基づいて、ダウンリンク・データ送信、ユーザ機器基準信号（ＵＥ−ＲＳ）、ダウンリンク・チャネル状態情報基準信号（ＣＳＩ−ＲＳ）、および／または、ダウンリンク復調基準信号をデクランブルすることによって通信するように構成された、Ｃ１７に記載の装置。
［Ｃ２０］
前記設定パラメータは、リソース分割情報を備え、
前記通信することはさらに、前記リソース分割情報に少なくとも部分的に基づいて、データ・チャネル、制御チャネル、および／または、サウンディング基準信号（ＳＲＳ）を送信することを備える、Ｃ１４に記載の装置。
［Ｃ２１］
前記設定パラメータは、ラジオ・リソース制御（ＲＲＣ）シグナリングに少なくとも部分的に基づいて受信される、Ｃ１４に記載の装置。
［Ｃ２２］
前記設定パラメータは、少なくとも部分的にダウンリンク許可およびアップリンク許可によって受信される、Ｃ１４に記載の装置。
［Ｃ２３］
ＵＥは、関連付けられた遠隔ラジオ・ヘッド（ＲＲＨ）に基づいて特定のスクランブリング・シーケンスを使用するように構成された、Ｃ１４に記載の装置。
［Ｃ２４］
前記受信した設定パラメータは、前記関連付けられた遠隔ラジオ・ヘッドのセルＩＤに対応するスクランブリング・シーケンスを備える、Ｃ２３に記載の装置。
［Ｃ２５］
前記プロセッサはさらに、前記関連付けられた遠隔ラジオ・ヘッドに対応するスクランブリング・シーケンスを用いて通信するように構成された、Ｃ２４に記載の装置。
［Ｃ２６］
前記信号は、チャネル状態情報基準信号（ＣＳＩ−ＲＳ）、データ復調のためのユーザ機器基準信号（ＵＥ−ＲＳ）、ダウンリンク制御復調のためのＵＥ−ＲＳ、ダウンリンク・データ、ダウンリンク制御、サウンディング基準信号（ＳＲＳ）、アップリンク復調のための復調基準信号（ＤＭ−ＲＳ）、アップリンク制御のためのＤＭ−ＲＳ、アップリンク制御、および／または、アップリンク・データである、Ｃ１４に記載の装置。
［Ｃ２７］
無線ネットワークにおける無線通信のためのコンピュータ・プログラム製品であって、
記録された非一時的なプログラム・コードを有する非一時的なコンピュータ読取可能な媒体を備え、
前記プログラム・コードは、
より新たなリリースのＵＥのために、特定のセルＩＤについてより多くのスクランブリング・シーケンスが定義される信号をスクランブルまたはデスクランブルするための設定パラメータを受信するためのプログラム・コードと、
前記受信した設定パラメータに少なくとも部分的に基づいて、基地局と１または複数の遠隔ラジオ・ヘッド（ＲＲＨ）を含むネットワークで通信するためのプログラム・コードとを備える、コンピュータ・プログラム製品。
［Ｃ２８］
無線通信のための装置であって、
より新たなリリースのＵＥのために、特定のセルＩＤについてより多くのスクランブリング・シーケンスが定義される信号をスクランブルまたはデスクランブルするための設定パラメータを受信する手段と、
前記受信した設定パラメータに少なくとも部分的に基づいて、基地局および少なくとも１つの遠隔ラジオ・ヘッド（ＲＲＨ）を含むネットワークで通信する手段と、を備える装置。
【図１】
0005778337.tif 000002
【図２】
0005778337.tif 000003
【図３】
0005778337.tif 000004
【図４】
0005778337.tif 000005
【図５】
0005778337.tif 000006
【図６】
0005778337.tif 000007
【図７】
0005778337.tif 000008
【図８】
0005778337.tif 000009